【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
ジョブを生成するクライアント装置と、前記クライアント装置から受信するジョブに基づく印刷処理を行う画像形成装置と、印刷処理の制御を行うための管理装置とを含む印刷システムであって、
前記クライアント装置は、
ユーザからの指示に基づきジョブを生成するジョブ生成手段と、
前記画像形成装置において前記ジョブの実行の許可を申請するため、前記ジョブ生成手段で生成したジョブを識別するためのジョブ識別情報とクライアント装置を識別するためのクライアント識別情報と前記ユーザを識別するためのユーザ識別情報を含む許可申請データを生成する許可申請生成手段と、
前記許可申請生成手段で生成された許可申請データを前記管理装置に送信する許可申請送信手段と、
前記ジョブ生成手段で生成したジョブを前記画像形成装置に送信するジョブ送信手段とを有し、
前記管理装置は、
前記クライアント装置より許可申請データを受信する許可申請受信手段と、
前記許可申請データに含まれるユーザ識別情報が、前記画像形成装置での印刷を許可するユーザを識別するユーザ識別情報を管理するユーザリストに管理されていたことに基づき、前記許可申請データに対応する印刷を許可するための前記ジョブ識別情報と前記クライアント識別情報を含む許可コマンドを生成する許可コマンド生成手段と、
前記許可コマンド生成手段により生成された許可コマンドを前記画像形成装置に送信する許可コマンド送信手段とを有し、
前記画像形成装置は、
前記管理装置より許可コマンドを受信する許可コマンド受信手段と、
前記許可コマンド受信手段により受信した許可コマンドに含まれるクライアント識別情報とジョブ識別情報とを対応させて、ジョブの処理を許可するクライアント装置のクライアント識別情報を管理する許可リストに登録する登録手段と、
前記許可リストで管理されているクライアント識別情報で識別されるクライアント装置からの前記ジョブを受信するジョブ受信手段と、
前記ジョブ受信手段により受信したジョブに基づき印刷処理を実行する印刷手段と、
前記印刷手段による印刷処理が実行された後に、前記許可リストにおける、当該実行されたジョブのジョブ識別情報と、当該ジョブ識別情報に対応して管理されているクライアント識別情報を削除する許可解除手段とを有することを特徴とする印刷システム。
【請求項２】
前記クライアント装置は、
前記ジョブ生成手段で生成したジョブを前記画像形成装置に送信する際のコネクションを確立するために、前記クライアント識別情報を含む通信データを送信する通信データ送信手段を有し、
前記画像形成装置は、
前記クライアント装置から前記通信データを受信する通信データ受信手段と、
前記通信データ受信手段により受信した通信データに含まれるクライアント識別情報が前記許可リストに管理されているか否かを判断する判断手段と、
前記判断手段により前記クライアント識別情報が前記許可リストに管理されていない場合には前記通信データに対する応答を行わず、前記判断手段により前記クライアント識別情報が前記許可リストに管理されている場合には前記クライアント装置と前記画像形成装置との間の前記コネクションを確立するために、前記通信データに対する応答を行う応答手段とを更に有し、
前記ジョブ受信手段は、前記応答手段による応答の結果に応じて前記クライアント装置と前記画像形成装置との間の前記コネクションが確立した後に、前記ジョブを受信することを特徴とする請求項１に記載の印刷システム。
【請求項３】
前記許可コマンド生成手段は、更に前記ジョブの実行を許可する許可時間を含む許可コマンドを生成し、
前記登録手段は、前記許可コマンドに含まれるクライアント識別情報とジョブ識別情報と前記許可時間とを対応させて前記許可リストに登録し、
前記許可解除手段は、前記許可リストで管理される許可時間に基づき、当該許可時間に対応して管理されている情報を削除することを特徴とする請求項１または２に記載の印刷システム。
【請求項４】
前記ジョブ識別情報は前記ジョブ生成手段で生成されたジョブに関するハッシュ値を含み、
前記画像形成装置は前記ジョブ受信手段で受信したジョブのハッシュ値を取得する取得手段を更に有し、
前記ジョブの送信元のクライアント装置のクライアント識別情報に対応して前記許可リストにおいて管理されているジョブ識別情報のハッシュ値が、前記取得手段で取得したハッシュ値と異なる場合、前記印刷手段により当該ジョブに基づく印刷処理を実行せず、かつ前記許可解除手段は前記許可リストにおける当該クライアント識別情報に対応して管理されている情報を削除することを特徴とする請求項１乃至３のいずれか１項に記載の印刷システム。
【請求項５】
前記管理装置は、
前記許可申請データに含まれるユーザ識別情報が前記ユーザリストに管理されていたことに基づき、仮識別情報を発行する発行手段と、
前記クライアント装置に前記発行手段で発行した仮識別情報を送信する送信手段とを更に有し、
前記管理装置の許可コマンド生成手段は、前記発行手段で発行した仮識別情報を更に含む許可コマンドを生成し、
前記クライアント装置のジョブ送信手段は、前記ジョブとともに前記仮識別情報を画像形成装置に対して送信し、
前記前画像形成装置の登録手段は、前記許可コマンドに含まれるクライアント識別情報と前記ジョブ識別情報と仮識別情報とを対応させて、前記許可リストに登録し、
前記前画像形成装置の印刷手段は、前記ジョブに含まれる仮識別情報が、当該ジョブを送信したクライアント装置のクライアント識別情報に対応して前記許可リストに登録されていることに応じて、当該ジョブに基づく印刷処理を実行することを特徴とする請求項１乃至４のいずれか１項に記載の印刷システム。
【請求項６】
ジョブを生成するクライアント装置と、印刷処理の制御を行うための管理装置と通信可能な画像形成装置であって、
前記管理装置から印刷を許可するジョブのジョブ識別情報と当該ジョブを送信するクライアント装置のクライアント識別情報とを含む許可コマンドを受信する許可コマンド受信手段と、
前記許可コマンド受信手段により受信した許可コマンドに含まれるクライアント識別情報とジョブ識別情報とを対応させて、ジョブの処理を許可するクライアント装置のクライアント識別情報を管理する許可リストに登録する登録手段と、
前記許可リストで管理されているクライアント識別情報で識別されるクライアント装置からの前記ジョブを受信するジョブ受信手段と、
前記ジョブ受信手段により受信したジョブに基づき印刷処理を実行する印刷手段と、
前記印刷手段による印刷処理が実行された後に、前記許可リストにおける、当該実行されたジョブのジョブ識別情報と、当該ジョブ識別情報に対応して管理されているクライアント識別情報とを削除する許可解除手段、とを有することを特徴とする画像形成装置。
【請求項７】
前記クライアント装置から前記ジョブを前記画像形成装置に送信する際のコネクションを確立するために、クライアント識別情報を含む通信データを受信する通信データ受信手段と、
前記通信データ受信手段により受信した通信データに含まれるクライアント識別情報が前記許可リストに管理されているか否かを判断する判断手段と、
前記判断手段により前記クライアント識別情報が前記許可リストに管理されていない場合には前記通信データに対する応答を行わず、前記判断手段により前記クライアント識別情報が前記許可リストに管理されている場合には前記クライアント装置と前記画像形成装置との間の前記コネクションを確立するために、前記通信データに対する応答を行う応答手段とを更に有し、
前記ジョブ受信手段は、前記応答手段による応答の結果に応じて前記クライアント装置と前記画像形成装置との間の前記コネクションが確立した後に、前記ジョブを受信することを特徴とする請求項６に記載の画像形成装置。
【請求項８】
ジョブを生成するクライアント装置と、印刷処理の制御を行うための管理装置と通信可能な画像形成装置における情報処理方法であって、
前記管理装置から印刷を許可するジョブのジョブ識別情報と当該ジョブを送信するクライアント装置のクライアント識別情報とを含む許可コマンドを受信する許可コマンド受信工程と、
前記許可コマンド受信工程で受信した許可コマンドに含まれるクライアント識別情報とジョブ識別情報とを対応させて、ジョブの処理を許可するクライアント装置のクライアント識別情報を管理する許可リストに登録する登録工程と、
前記許可リストで管理されているクライアント識別情報で識別されるクライアント装置からの前記ジョブを受信するジョブ受信工程と、
前記ジョブ受信工程で受信したジョブに基づき印刷処理を実行する印刷工程と、
前記印刷処理が実行された後に、前記許可リストにおける、当該実行されたジョブのジョブ識別情報と、当該ジョブ識別情報に対応して管理されているクライアント識別情報とを削除する許可解除工程、とを有することを特徴とする情報処理方法。
【請求項９】
請求項７または８に記載の手段としてコンピュータを機能させるためのプログラム。
【手続補正２】
【補正対象書類名】明細書
【補正対象項目名】００１２
【補正方法】変更
【補正の内容】
【００１２】
上記課題を解決するために、本発明における印刷システムは、ジョブを生成するクライアント装置と、前記クライアント装置から受信するジョブに基づく印刷処理を行う画像形成装置と、印刷処理の制御を行うための管理装置とを含む印刷システムであって、
前記クライアント装置は、ユーザからの指示に基づきジョブを生成するジョブ生成手段と、前記画像形成装置において前記ジョブの実行の許可を申請するため、前記ジョブ生成手段で生成したジョブを識別するためのジョブ識別情報とクライアント装置を識別するためのクライアント識別情報と前記ユーザを識別するためのユーザ識別情報を含む許可申請データを生成する許可申請生成手段と、前記許可申請生成手段で生成された許可申請データを前記管理装置に送信する許可申請送信手段と、前記ジョブ生成手段で生成したジョブを前記画像形成装置に送信するジョブ送信手段とを有し、
前記管理装置は、前記クライアント装置より許可申請データを受信する許可申請受信手段と、前記許可申請データに含まれるユーザ識別情報が、前記画像形成装置での印刷を許可するユーザを識別するユーザ識別情報を管理するユーザリストに管理されていたことに基づき、前記許可申請データに対応する印刷を許可するための前記ジョブ識別情報と前記クライアント識別情報を含む許可コマンドを生成する許可コマンド生成手段と、前記許可コマンド生成手段により生成された許可コマンドを前記画像形成装置に送信する許可コマンド送信手段とを有し、
前記画像形成装置は、前記管理装置より許可コマンドを受信する許可コマンド受信手段と、前記許可コマンド受信手段により受信した許可コマンドに含まれるクライアント識別情報とジョブ識別情報とを対応させて、ジョブの処理を許可するクライアント装置のクライアント識別情報を管理する許可リストに登録する登録手段と、前記許可リストで管理されているクライアント識別情報で識別されるクライアント装置からの前記ジョブを受信するジョブ受信手段と、前記ジョブ受信手段により受信したジョブに基づき印刷処理を実行する印刷手段と、前記印刷手段による印刷処理が実行された後に、前記許可リストにおける、当該実行されたジョブのジョブ識別情報と、当該ジョブ識別情報に対応して管理されているクライアント識別情報を削除する許可解除手段とを有することを特徴とする。